(57)【要約】【課題】コストの低減化や製作性の向上を図ることが可能な自動販売機の商品収納構造を提供する点にある。【解決手段】商品コラム１の幅方向中央部を上下方向に収縮構造５１を介して伸張自在に張設する商品落下防止部材５０を備え、ガイドベース４０と左側枠１０との取付け部、又は、ガイドベース４０と右側枠１１との取付け部の少なくとも何れか一方の取付け部が、係止部４３と係止受け部１２，１３とが係合する嵌合構造になっている。【選択図】　　　　図１
2004139243.tif 000002
【特許請求の範囲】
【請求項１】
左、右の側枠間に複数の仕切板を並列状態に配備して、前面が上下方向に沿って開口するとともに、上下方向に商品を積重ね収納可能な収納搬送通路を形成する複数の商品コラムが配備され、各商品コラムに対応して、商品コラムの上部に配備された上枠に上端を係止し、商品コラムの下部に配備され、且つ、左、右側枠に跨いで取付けられたガイドベースに下端を係止して、商品コラムの幅方向中央部を上下方向に収縮構造を介して伸張自在に張設する商品落下防止材を備えた自動販売機の商品収納構造であって、
前記ガイドベースと左側枠との取付け部、又は、ガイドベースと右側枠との取付け部の少なくとも何れか一方の取付け部が、係止部と係止受け部とが係合する嵌合構造になっている自動販売機の商品収納構造。
【請求項２】
前記仕切板が、前端に設けられた係止部を対応するガイドベースの係止受けに係止し、奥端に設けられた係止部を対応する商品コラムの奥部に配備された桟部材の係止受け部に係止する構成になっている請求項１記載の自動販売機の商品収納構造。
【発明の詳細な説明】
【０００１】
【発明の属する技術分野】
本発明は、自動販売機の商品収納構造に関する。
【０００２】
【従来の技術】
従来の自動販売機の商品収納構造ＡＡとして、図１２に示すように、左、右の側枠１０１、１０２間に複数の仕切板１２０を配備して、前面が上下方向に沿って開口するとともに、上下方向に商品Ｂを積重ね収納可能な収納搬送通路１３０を形成する複数の商品コラム１００が配備され、各商品コラム１００に対応して、商品コラム１００の上部に配備された上枠１４０に上端を係止し、商品コラム１００の下部に配備され、且つ、左、右側枠１０１、１０２に跨いで取付けられたガイドベース１５０に下端を係止して、商品コラム１００の幅方向中央部を上下方向にコイルスプリング部を介して伸張自在に張設する商品落下防止部材１６０を備えたものがある。
従来構造のものにおいては、ガイドベース１５０が左側枠１０１及び右側枠１０２に対してネジ止め構造１７０，１７０によって取付け固定されている。また、図１２に示すように、仕切板１２０においても、商品コラム１００の奥側に配備された上、下の横桟部材１８０，１９０に対して、下部の横桟部材１９０には係止構造２１０によって、上部の横桟部材１８０にはネジ止め構造２２０によって仕切板１２０が取付けられ、取付け状態の仕切板１２０は、上下、左右、前後への移動が拘束された状態になる。
一般的に、上記のようなネジ止め構造１７０，２２０は、ビス等の取付けネジ部品が必要であるとともに、ネジ取付け部に対応するネジ孔部分にはバーリング加工などのネジ受け加工と言った専用工程が必要である。
【０００３】
【発明が解決しようとする課題】
そのため、前者のガイドベース１５０においては、ネジ止め構造１７０，１７０によって取付けられているため、取付け手間を要する問題がある。
また、仕切板１２０においても、商品コラム１００数が多くなればなるほど取付け数も多くなり、例え一枚の仕切板１００におけるネジ止め構造１７０が一箇所であっても、商品収納部の商品コラム数に対応する仕切板１２０が取付けられるので、仕切板１２０の取付け数に比例してネジ止め個所も多くなり取付け手間を要する問題がある。
そのため、このようなネジ止め個所を可及的に削減して自動販売機の商品収納構造ＡＡにおける仕切板１２０の取付け手間を削減して製作性の向上やコストの低減化を図りたい課題がある。
さらに、図１２、図１３に示すように、従来のガイドベース１５０において、板金製のガイドベース１５０の左、右端部に折り曲げ段差１５０Ａを介して取付けネジ止めフランジ部１５０Ｂ，１５０Ｂを一体形成し、前段の左、右フランジ部１５０Ｂ，１５０Ｂを左、右側枠１０１，１０２に固着し、後段のベース本体１５０Ｃを商品落下防止部材１６０の取付けに用いると言うように、ネジ止めフランジ部１５０Ｂ，１５０Ｂとベース本体１５０Ｃとが位置を異にして取付けられる構造がとられ、しかも、ネジ止めフランジ部１５０Ｂ，１５０Ｂが部品形成の際の型取りプレス工程とは別工程のプレス工程によって段差形成されているため、このような付加的なプレス工程を削減して、コストの低減化や製作性の向上を図りたい課題がある。
【０００４】
本発明は、上述の実状に鑑みて為されたものであって、その主たる課題は、製作性の向上やコストの低減化を図ることが可能な自動販売機の商品収納構造を提供する点にある。
【０００５】
【課題を解決するための手段】
本発明の請求項１による自動販売機の商品収納構造の特徴構成は、左、右の側枠間に複数の仕切板を並列状態に配備して、前面が上下方向に沿って開口するとともに、上下方向に商品を積重ね収納可能な収納搬送通路を形成する複数の商品コラムが配備され、各商品コラムに対応して、商品コラムの上部に配備された上枠に上端を係止し、商品コラムの下部に配備され、且つ、左、右側枠に跨いで取付けられたガイドベースに下端を係止して、商品コラムの幅方向中央部を上下方向に収縮構造を介して伸張自在に張設する商品落下防止部材を備えた構成において、前記ガイドベースと左側枠との取付け部、又は、ガイドベースと右側枠との取付け部の少なくとも何れか一方の取付け部が、係止部と係止受け部とが係合する嵌合構造になっている点にある。
【０００６】
［作用］
上記特徴構成によれば、左、右側枠に対してガイドベースの左、右取付け部の少なくとも一方を嵌合構造によって取付けているので、従来のように、左、右側枠に対してガイドベースの左、右取付け部の両方をネジ止め構造によって取付ける取付け構造に比べて、取付けが簡単であるとともに、ネジ部品やネジ取付け用のバーリング加工を削減することができる。
また、嵌合構造の係止部又は係止受け部は簡単な構造であるので、例えば、ガイドベースに係止部又は係止受け部を、部品形成の際のプレス工程等によって形成することができるので、従来のガイドベースに従来構成で必要であった段差形状を形成するのに、部品形成の際の型取りプレス加工とは別工程のプレス加工などを必要としない。
【０００７】
［効果］
従って、製作性の向上やコストの低減化を図ることができる。
また、ガイドベースと左側枠との取付け部、ガイドベースと右側枠との取付け部の両方の取付け部が、係止部と係止受け部とが係合する嵌合構造になっている場合、商品落下防止部材の収縮を受けて、係止部と係止受け部とが圧接係合する状態になるので、この場合、何らネジ止めなどの取付け手段を用いることなく、左、右側枠間にガイドベースを取付け状態にすることができる。しかも、このような嵌合構成の場合、常に、商品落下防止部材の圧縮弾性力による引き上げ力がガイドベースに作用して、左、右側枠間にガイドベースを取付け状態に維持することができるので、信頼性の高い取付け構造を形成することができる。
【０００８】
本発明の請求項２による自動販売機の商品収納構造の特徴構成は、前記仕切板が、前端に設けられた係止部を対応するガイドベースの係止受けに係止し、奥端に設けられた係止部を対応する商品コラムの奥部に配備された桟部材の係止受け部に係止する構成になっている点にある。
【０００９】
［作用］
上記特徴構成によれば、ガイドベース、桟部材に対して、簡単に取付けることができるとともに、この取付けによって、仕切板の前部、後部が係止されて、仕切板の左右、上下、前後の移動が拘束された状態となる。
【００１０】
［効果］
従って、ネジ止めによって取付け状態を得ていた従来の仕切板の取付けに比べて、取付け手間を軽減することができ、製作手間を改善することができるので、製作性の向上やコストの低減化を図ることができる。
【００１１】
【発明の実施の形態】
〔実施形態〕
以下、本発明の自動販売機の商品収納構造を適用した一実施形態を図面に基づいて説明する。
図１〜図４は、本発明に係わる自動販売機の商品収納構造Ａを示し、左、右の側枠１０，１１間に複数の仕切板２０を並列状態に配備して、前面が上下方向に沿って充填用開口部（以下、開口部と記載する）Ｄが開口するとともに、タバコ等の箱入り商品（以下、商品と記載する）Ｂの複数を上下方向に重ねて収納可能にする収納搬送通路Ｃを形成する複数の商品コラム１を左右方向に並列して設け、各商品コラム１の下部に、最下部に収納してある払出し対象商品Ｂを水平方向に排出可能な排出口２と商品Ｂの有無を感知する売切れ感知レバー（図示せず）を設けるとともに、払出し対象商品Ｂを排出口２から排出されるように押出し可能な押出し部材（プッシャー）４を、商品払出し指令に基づいて押し出し作動させて、排出口２を通して払出し対象商品Ｂを搬出した後、後続する払出し対象商品Ｂを排出口２から押出し可能な待機位置で停止させる押出し装置５を設けてある。
【００１２】
前記開口部Ｄの上部には、補強フレーム３０が配備され、開口部Ｄの下部には、ガイドベース４０が配備され、各商品コラム１に対応して、上端を補強フレーム３０に係止するとともに、下端をガイドベース４０に係止して、商品コラム１の開口部Ｄから収納してある商品Ｂが脱落するのを防止する脱落防止部材５０を、開口部Ｄを上下方向に沿って張設する状態に設けてある。
【００１３】
前記脱落防止部材５０は、例えば、鋼線材から形成され、収縮構造であるコイルスプリング部５１の巻き上端に上方向に沿って連続形成された上部線条部５２上端のフック部５２Ａを補強フレーム３０の係止孔３０Ａに係止し、巻き下端に下方向に沿って連続形成された下部線条部５３下端のフック部５３Ａをコイルスプリング部５１の圧縮に抗してガイドベース４０の係止孔４０ａに係止して、補強フレーム３０とガイドベース４０との間に伸張自在に介装されている。
【００１４】
前記補強フレーム３０は、断面形状がＶ字状のチャンネル材を天井棚板に溶接等で固着して形成されている。
【００１５】
前記ガイドベース４０は、左、右側枠１０，１１間に長手方向が左右方向に沿う横倒し状態に配備されるとともに、上、下両端には前側に向けて傾斜する傾斜板部４１、４２が一体形成されている。上側の傾斜板部４１は、ベース本体４０Ａの上部を逆Ｖ字状に折り曲げて形成されている背面側の傾斜面を利用して構成され、収納搬送通路Ｃに収納されているタバコ等の商品Ｂ前部分が、落下する際に、引っかかることがないような構造になっている。下側の傾斜板部４２は、ベース本体４０Ａの下部をＶ字状に折り曲げ形成されている背面側の傾斜面を利用して構成され、例え、押出し装置５によって払い出される商品Ｂの前端部が浮き上がった状態で払出し搬送されたとしても、傾斜面が、その浮き上がりを押えるとともに、払出し口に商品を案内するガイドとして作用する構造になっている。
【００１６】
そして、商品コラム１に商品Ｂを充填する場合、脱落防止部材５０を開口部Ｄ幅方向側に、コイルスプリング部５１の圧縮弾性力に抗して引張って、商品コラム１の張設状態の一部分を開口部Ｄから退避させて、開口部Ｄの一部を開放して、この開放された開口Ｄから商品Ｂを商品コラム１に容易に充填することができるようになっている。
【００１７】
前記ガイドベース４０の左、右両端には、係止部である上向き鍵状の係止片４３，４３が形成され、これら係止片４３，４３に対応する左、右側枠１０，１１には、係止受け部である方形状の係止窓１２，１３が形成され、図３、図４に示すように、各係止片４３，４３を対応する係止窓１２，１３に嵌め入れ可能になっている。左、右側枠１０，１１間に取付けたガイドベース４０に、脱落防止部材５０を接続した状態では、脱落防止部材５０の圧縮弾性力を受けて、ガイドベース４０が上方に引張られることになるので、各係止片４３、４３と対応する係止窓１２、１３とが圧接係合する嵌合構造を構成する。ここで、左、右側枠１０，１１に対してガイドベース４０は、一方の係止片４３を一方の係止窓１２に挿入した後、他方の係止片４３を一方の係止窓１３に挿入して取付けが行われる。そのため、左、右側枠１０，１１間の幅寸法よりも、ガイドベース４０のベース本体４０Ａの幅寸法が幅狭に形成されており、左、右側枠１０，１１とベース本体４０Ａとの遊び幅間隔によって係止片４３（４５）と係止窓１２（１３）との嵌合が容易に実施することができるようになっている。この実施形態において、前記係止窓１２（１３）と前記係止片４３（４３）から嵌合構造が構成されている。
【００１８】
前記仕切板２０は、前端に設けられた舌片状の係止部２０Ａを対応するガイドベース４０のスリット状の係止受け４０ｂに係止し、奥端上部に設けられたフック状の係止部２０Ｂを対応する商品コラム１の奥部に配備された桟部材６０のスリット状の係止受け部６０Ａに差込み係止し、底端前後に分けて設けられた舌片状の係止部２０Ｃ、２０Ｃを商品コラム１の底部に配備されたベースプレート７０のスリット状の係止受け部７０Ａ，７０Ａに係止する状態で、前後、左右、上下への移動が拘束された取付け状態になるように構成されている。
【００１９】
このような構成にすることによって、図１、図４に示すように、脱落防止部材５０を、上端を補強フレーム３０に係止するとともに、下端をガイドベース４０に係止した状態では、ガイドベース４０がコイルスプリング部５１の弾性圧縮力によって、上方向の引き上げ力として作用し、脱落防止部材５０の係止片４３，４３が、左、右側枠１０，１１の係止窓１２，１３に圧接状態に係合する状態になる。この状態では、脱落防止部材５０が勝手に外れたりすることがなく、また、商品コラム１に商品Ｂを充填する際に、脱落防止部材５０を側方に引張って、商品コラム１の開口部Ｄを開けた状態では、ガイドベース４０の係止片４３，４３が左、右側枠１０，１１により強く係合する状態になるので、ガイドベース４０が勝手に外れたりすることがない。
【００２０】
〔第２実施形態〕
この第２実施形態は、上記第１実施形態と異なる点を説明し、同様構成部分には同符号を附して詳細は省略する。
この実施形態における左、右側枠１０，１１とガイドベース４０との取付け構造は、図５〜図８に示すように、ガイドベース４０の左端には、ベース本体４０Ａに段差部４４Ａを介してネジ挿通孔４４ａを形成するフランジ部４４が形成され、このフランジ部４４に対応する左側枠１０には、バーリング加工によるネジ孔１０ａが形成されており、ガイドベース４０の右端には、係止部である舌片状の係止片４５が形成され、この係止片４５に対応する右側枠１１には、係止受け部である方形状の係止窓１３が形成され、図６〜図８に示すように、右側枠１１の係止窓１３に対してガイドベース４０の係止片４５を差込嵌合した後、左側枠１０のネジ孔１０ａに対して取付けネジＮを介してガイドベース４０のフランジ部４４をネジ止めすることによって、左、右側枠１０．１１間にガイドベース４０を取付ける構造になっている。
【００２１】
また、この第２実施形態では、図５〜図９に示すように、ガイドベース４０に菱形状の穿孔からなる係止受け４０ｂｂを形成し、これに対して、先端に向かう程、先細りするほぼ三角形状に突出形成された舌片からなる係止部２０ＡＡを係止する構成になっている。
【００２２】
係止受け４０ｂｂは、図６に示すように、係止部２０ＡＡが嵌り合った状態で、係止部２０ＡＡの根元部分の上、下端部分が接当する孔寸法になっている。
【００２３】
また、係止受け４０ｂｂに対して挿入時点の係止部２０ＡＡが、例えば、図９の２点鎖線に示すように、孔中央部分から左右方向（図面では左）にずれた位置に挿入先端部分があったとしても、挿入過程において、係止受け４０ｂｂに係止部２０ＡＡの先端から根元部分に挿入されて行く過程で、係止受け４０ｂｂの菱形孔を構成しているテーパー内辺の何れかの内辺に案内されて，菱形孔の左右中央部分に係止部２０ＡＡが位置する状態となるようになっている。
【００２４】
そのため、右側枠１１の係止窓１３に対して、ガイドベース４０の右端の係止片４５を差し入れた状態から、ガイドベース部４０の夫々の係止受け４０ｂｂに、対応する仕切板２０の係止部２０ＡＡの先端部を挿入する状態に揃えた後、左側枠１０に対してガイドベース４０の左端のフランジ部４４の左端のフランジ部４４を当て付け状態にして、左側枠１０にフランジ部をネジ止めする。このような取り付け操作を実施することによって、ガイドベース４０の係止受け４０ｂｂに対して、挿入された係止部２０ＡＡが多少ずれた孔位置にあっても、係止受け４０ｂｂに係止部２０ＡＡの先端から根元部分に挿入されて行く過程で，菱形孔の左右中央部分に係止部２０ＡＡが位置する状態となるので、ガイドベース４０の取付け操作が簡単であるとともに、仕切部２０ＡＡに多少の位置ずれがある不揃いな状態であったとしても、ガイドベース４０の取付け過程において正規の仕切板位置に矯正することができる。この実施形態における仕切板２０の下部には、図６に示すように、取り付け状態で商品コラム１の背板に当接する張出し部２０Ｄ，又は、同図に二点鎖線に示すように、取り付け状態で商品コラム１の背板に当接する当接片２０Ｅが一体形成されている。
【００２５】
また、左、右の側枠体１０，１１間にガイドベース４０を取付けた状態では、仕切板２０の係止部２０ＡＡが係止受け４０ｂｂに拘束されて、仕切板２０の左右、上下への移動を拘束する取付け状態となるので、上記第１実施形態において仕切板２０の左右への移動を拘束するために、図２に示すように、底端前後に分けて設けられた舌片状の係止部２０Ｃ、２０Ｃを、商品コラム１の底部に配備されたベースプレート７０のスリット状の係止受け部７０Ａ，７０Ａに係止して、仕切板２０の左右への移動を拘束するような構造が図１３に示すように不要となるので、加工手間の削減化を図ることができる。
【００２６】
そして、各商品コラム１に対応するガイドベース４０と補強フレーム３０との間に脱落防止部材５０を介装して、図５に示すように、この実施形態の自動販売機の商品収納構造Ａが構成される。
【００２７】
このような構成によれば、ガイドベース４０の取付けが簡単であるとともに、ネジ止めと脱落防止部材５０の圧縮弾性力によって、左、右側枠１０，１１間にガイドベース４０を確実な取付け状態にすることができる。
【００２８】
尚、この実施形態の係止受け４０ｂｂは、正方形状を４５度傾けた対角が同じである菱形形状のものを図示したが、対角が異なる菱形形状のものであってもよい。
【００２９】
また、前記係止受け４０ｂｂの孔形状としては、例えば、上下の何れか一方に楔状のテーパー内辺が形成され、上下の他方が半円状となるものであってもよい。この場合、上下の何れか一方の楔状のテーパー内辺によって、係止受け４０ｂｂに挿入された係止部２０ＡＡの左右の位置ずれに対応することによって、係止部２０ＡＡを孔の左右中央部分に案内して、仕切部２０ＡＡに位置ずれがあるものは正規の仕切板位置に矯正することができる。
【００３０】
〔その他の実施形態〕
（１）　上記各実施形態においては、嵌合構造において、ガイドベース４０側に係止部である係止片４３（４５）を形成し、これに対応する側枠１０（１１）に係止受け部である係止窓１２（１３）を形成するものについて説明したが、本発明はこれに限らず、嵌合構造において、ガイドベース４０側に係止窓を形成し、これに対応する側枠１０（１１）に係止片を形成するものであってもよい。
【００３１】
（２）　上記第１実施形態では、ガイドベース４０の両端部に鍵状の係止片４３，４３を設けたものについて説明したが、本発明はこれに限らず、左右何れか一方、例えば、図１０に示すように、左側の係止片４３にＶ字状の受け溝４６を形成して、コイルスプリング部５１によるガイドベース４０の上方向への引き上げ力によって、係止窓１２（１３）の窓縁部に受け溝４６が係合する状態になると、左、右側枠１０，１１間にガイドベース４０が設定された位置に位置決めされた取付け状態になるように構成してもよい。
【００３２】
この場合、左、右枠体１０、１１間に、ガイドベース４０を位置決めするには、係止窓１２（１３）に、ガイドベース４０の係止片４３に設けた受け溝４０ｂを係合することによって達成されるので、位置決め操作が簡単である。
また、同様にガイドベース４０に位置決め操作を簡単にする別の構造としては、図１１に示すように、係止片４３（４５）に、係止窓１２（１３）の内周縁の板厚さよりも僅かに大きな開口幅を有する上向きコの字状の受け溝４７を形成して、コイルスプリング部５１によるガイドベース４０の上方向への引き上げ力によって、係止窓１２（１３）の窓縁部に受け溝４７が嵌合する状態になると、左、右側枠１０，１１間にガイドベース４０が設定された位置に位置決めされた取付け状態になるように構成してもよい。
【図面の簡単な説明】
【図１】本発明の自動販売機の商品収納構造を適用した一実施形態を示す正断面図
【図２】商品収納構造の側断面図
【図３】左、右側枠とガイドベースとの関係を示す要部分解斜視図
【図４】左、右側枠間にガイドベースを取付けた状態を示す要部斜視図
【図５】本発明の自動販売機の商品収納構造を適用した第２実施形態を示す正断面図
【図６】商品収納構造の側断面図
【図７】第２実施形態における左、右側枠とガイドベースとの関係を示す要部分解斜視図
【図８】第２実施形態における左、右側枠間にガイドベースを取付けた状態を示す要部斜視図
【図９】係止受けと係止片の関係を示す要部説明図
【図１０】係止片の変形例の要部を示す正面図
【図１１】係止片の別の変形例の要部を示す正面図
【図１２】従来の自動販売機の商品収納構造を示す正断面図
【図１３】従来の商品収納構造の側断面図
【符号の説明】
Ａ　　　　　　　　自動販売機の商品収納構造
Ｂ　　　　　　　　商品
Ｃ　　　　　　　　収納搬送通路
Ｄ　　　　　　　　開口
１　　　　　　　　商品コラム
１０　　　　　　　左側枠
１１　　　　　　　右側枠
１２　　　　　　　係止受け部（係止窓）
１３　　　　　　　係止受け部（係止窓）
２０　　　　　　　仕切板
２０Ａ　　　　　　係止部
２０ＡＡ　　　　　係止部
２０Ｂ　　　　　　係止部
２０Ｃ　　　　　　係止部
３０　　　　　　　上枠
４０　　　　　　　ガイドベース
４０ｂ　　　　　　係止受け
４０ｂｂ　　　　　係止受け
４３　　　　　　　係止部（係止片）
４５　　　　　　　係止部（係止片）
５０　　　　　　　商品落下防止材
５１　　　　　　　収縮構造（コイルスプリング部）
６０　　　　　　　桟部材
６０Ａ　　　　　　係止受け部
７０　　　　　　　ベースプレート
７０Ａ　　　　　　係止受け部
【図１】
2004139243.tif 000003
【図２】
2004139243.tif 000004
【図３】
2004139243.tif 000005
【図４】
2004139243.tif 000006
【図５】
2004139243.tif 000007
【図６】
2004139243.tif 000008
【図７】
2004139243.tif 000009
【図８】
2004139243.tif 000010
【図９】
2004139243.tif 000011
【図１０】
2004139243.tif 000012
【図１１】
2004139243.tif 000013
【図１２】
2004139243.tif 000014
【図１３】
2004139243.tif 000015